(57)【要約】      （修正有）【課題】取り付け、取り外しが容易で、日常的に洗濯して、常に清潔に使用することができるようにした掛けぶとんカバーを提供する。【解決手段】カバーのおもて面を開放型にし、カバーのおもて面上下二箇所に、伸縮性生地でできたふとんがぴったり納まるポケット２を施して掛けふとんカバー１を形成する。ポケット式掛けふとんカバー１をふとんに取り付けるときには、ふとんの片側をカバーの一方のポケット２に差し込み、その後ふとんのもう一方の側を異なるポケットに差し込むだけでよい。またふとんからカバーを外すときは、カバーのポケットからふとんを抜くだけの簡単な手間で済む。【選択図】図１
0003160918.tif 000002
【実用新案登録請求の範囲】
【請求項１】
掛けふとんカバーのおもて面が開放型で、おもて面上下に二箇所のポケットが施された、ふとんに取り付け、取り外し作業の手間が画期的に簡単なポケット式掛けふとんカバー。
【考案の詳細な説明】
【技術分野】
【０００１】この発明は、掛けふとんカバーの機能と形状に関する。
【背景技術】
【０００２】従来の掛けふとんカバーと違い、図に示すように掛けふとんカバーのおもて面が開放型で、おもて面上下に二箇所のポケットが施された掛けふとんカバーである。
【考案の概要】
【考案が解決しようとする課題】
【０００３】しかしながら、従来の掛けふとんカバーは、カバーをふとんに取り付けたり、取り外したりするのに大変に手間のかかる作業を必要とし、そのため日常的にカバーをふとんから取り外して洗濯し、常に清潔に使用することが容易にできなかった。
そこで、この発明は、ふとんに取り付け、及び取り外し作業の手間が画期的に簡単な掛けふとんカバーを提供することを課題とする。
【問題を解決するための手段】
従来の掛けふとんカバーは、カバー中面の角の部分四隅を含む六箇所もしくは八箇所に、ふとんとカバーをずれないように固定するための留めひもが付けられており、ふとんとカバーを脱着させる度にそのひもで結んだり、はずしたりしなければいけなかった。
そのため掛けふとんカバーが汚れて洗濯しなければいけないときも、カバーをふとんから取り外す手間が大変なためついおっくうになり、後回しにしてしまうことが日常的であった。
清潔に使うことが本来の目的であったはずのふとんカバーが、実際には洗濯回数も少なくふとんに掛けられっぱなしの状態で、多くの場合不潔な状態で使われているというケースがほとんどであった。
【０００４】以上の問題を解決するために、第一の発明は、カバーのおもて面を開放型にした掛けふとんカバーである。
また、第二の発明は、カバーのおもて面上下二箇所に、伸縮性生地でできたふとんがぴったり納まるポケットを施した掛けふとんカバーである。
【発明の効果】
【０００５】第一発明、または第二発明によれば、ポケット式掛けふとんカバーをふとんに取り付けるときには、ふとんの片側をカバーの一方のポケットに差し込み、その後ふとんのもう一方の側を異なるポケットに差し込むだけでよい。
またふとんからカバーを外すときは、カバーのポケットからふとんを抜くだけの簡単な手間で済む、従来のふとんカバーと比べるとふとんに取り付け、取り外し作業の手間が画期的に簡単なポケット式掛けふとんカバーである。
【図面の簡単な説明】
【図１】この発明の一実施形態を斜視図に示す。
【考案を実施するための形態】
【０００６】この発明の一実施形態を図１に示す。
ポケット式掛けふとんカバー本体は布製であるが、ポケット部分は伸縮性生地でつくられている。
そのため厚さに違いのあるどのようなふとんでも、ぴったり納まるポケット式掛けふとんカバーになる。
【００１０】「実施形態の効果」
この実施形態によれば、ポケット式掛けふとんカバーは、ふとんに取り付け、取り外し作業の手間が画期的に簡単な、掛けふとんカバーである。
そのため、掛けふとんカバーの洗濯を日常的に行い、いつでも清潔に使用できるカバー本来の目的の機能を有する発明の掛けふとんカバーである。
【符号の説明】
【００１１】１  ポケット式掛けふとんカバー
２  ポケット部分（伸縮性生地）
【図１】
0003160918.tif 000003
【図２】
0003160918.tif 000004
【図３】
0003160918.tif 000005
【図４】
0003160918.tif 000006
【手続補正書】
【提出日】平成22年5月20日(2010.5.20)
【手続補正２】
【補正対象書類名】明細書
【補正対象項目名】全文
【補正方法】変更
【補正の内容】
【考案の詳細な説明】
【技術分野】
【０００１】この発明は、掛けふとんカバーの機能と形状に関する。
【背景技術】
【０００２】従来の掛けふとんカバーと違い、図に示すように掛けふとんカバーのおもて面が開放型で、おもて面上下に二箇所のポケットが施された掛けふとんカバーである。
【考案の概要】
【考案が解決しようとする課題】
【０００３】しかしながら、従来の掛けふとんカバーは、カバーをふとんに取り付けたり、取り外したりするのに大変に手間のかかる作業を必要とし、そのため日常的にカバーをふとんから取り外して洗濯し、常に清潔に使用することが容易にできなかった。
そこで、この発明は、ふとんに取り付け、及び取り外し作業の手間が画期的に簡単な掛けふとんカバーを提供することを課題とする。
【問題を解決するための手段】
従来の掛けふとんカバーは、カバー中面の角の部分四隅を含む六箇所もしくは八箇所に、ふとんとカバーをずれないように固定するための留めひもが付けられており、ふとんとカバーを脱着させる度にそのひもで結んだり、はずしたりしなければいけなかった。
そのため掛けふとんカバーが汚れて洗濯しなければいけないときも、カバーをふとんから取り外す手間が大変なためついおっくうになり、後回しにしてしまうことが日常的であった。
清潔に使うことが本来の目的であったはずのふとんカバーが、実際には洗濯回数も少なくふとんに掛けられっぱなしの状態で、多くの場合不潔な状態で使われているというケースがほとんどであった。
【０００４】以上の問題を解決するために、第一の発明は、カバーのおもて面を開放型にした掛けふとんカバーである。
また、第二の発明は、カバーのおもて面上下二箇所に、伸縮性生地でできたふとんがぴったり納まるポケットを施した掛けふとんカバーである。
【発明の効果】
【０００５】第一発明、または第二発明によれば、ポケット式掛けふとんカバーをふとんに取り付けるときには、ふとんの片側をカバーの一方のポケットに差し込み、その後ふとんのもう一方の側を異なるポケットに差し込むだけでよい。
またふとんからカバーを外すときは、カバーのポケットからふとんを抜くだけの簡単な手間で済む、従来のふとんカバーと比べるとふとんに取り付け、取り外し作業の手間が画期的に簡単なポケット式掛けふとんカバーである。
【図面の簡単な説明】
【０００６】
【図１】この発明の一実施形態を斜視図に示す。
【図２】ポケット式掛けふとんカバーを裏面から見た図。
【図３】ポケット式掛けふとんカバーにふとんを差し込んでいる図。
【図４】ポケット式掛けふとんカバーからふとんを抜いている図。
【考案を実施するための形態】
【０００７】この発明の一実施形態を図１に示す。
ポケット式掛けふとんカバー本体は布製であるが、ポケット部分は伸縮性生地でつくられている。
そのため厚さに違いのあるどのようなふとんでも、ぴったり納まるポケット式掛けふとんカバーになる。
【実施形態の効果】
【０００８】この実施形態によれば、ポケット式掛けふとんカバーは、ふとんに取り付け、取り外し作業の手間が画期的に簡単な、掛けふとんカバーである。
そのため、掛けふとんカバーの洗濯を日常的に行い、いつでも清潔に使用できるカバー本来の目的の機能を有する発明の掛けふとんカバーである。
【符号の説明】
【０００９】１  ポケット式掛けふとんカバー
２  ポケット部分（伸縮性生地）